(57)【要約】【課題】口腔内を内部から照明するようにし、もって、口腔内全体を明るく照明するようにし（光の届かない場所がないようにし）、術者が目線を口腔内のどこに向けても、いつでも、明るい状態で観察することができ、治療作業がしやすくなるようにする。【解決手段】軸方向に延長する光照射部１１と該光照射部１１の軸方向に一体的に連続するバイトブロック部１２を有し、かつ、該バイトブロック部１２は軸方向に延長する凹部１２ａを有し、該凹部１２ａに光源部２０を挿脱自在に挿入し、光源２１からの光が前記光照射部１１から径方向に散乱放射される。光照射部１１は口腔内の奥側において、舌の上を横切って延長して舌の動きを抑え、患者はバイトブロック部１２を噛んで該光照射部１１を所望の位置に固定する。【選択図】図１
2006020818.tif 000002
【特許請求の範囲】
【請求項１】
軸方向に延長する光照射部と該光照射部の軸方向に一体的に連続するバイトブロック部を有し、かつ、該バイトブロック部は軸中心に軸方向に延長する凹部を有し、該凹部に光源が挿脱自在に挿入された時に、該光源からの光が前記光照射部に伝達されることを特徴とする口腔内照明器具。
【請求項２】
前記光照射部は、前記バイトブロック部の凹部に連通する孔を軸方向に有し、前記光源からの光が該孔を通して前記光照射部に伝達されるようにしたことを特徴とする請求項１に記載の口腔内照明器具。
【請求項３】
前記光照射部は、口腔内奥部において舌の上を横切って延長し、舌の動きを抑える長さ及び幅を有することを特徴とする請求項１又は２に記載の口腔内照明器具。
【請求項４】
前記バイトブロック部は上下の面に軸方向に延長する溝を有し、該上下の溝を患者の歯列に合せて、該バイトブロック部を噛むようにしたことを特徴とする請求項１乃至３のいずれかに記載の口腔内照明器具。
【請求項５】
請求項１乃至４のいずれかに記載の口腔内照明器具と、該口腔内照明器具の前記バイトブロック部の凹部に挿脱自在に装着される光源部とからなることを特徴とする口腔内照明装置。
【発明の詳細な説明】
【技術分野】
【０００１】
本発明は、口腔内照明器具及び装置、より詳細には、歯科治療において、口腔内を照明するに際し、口腔内を口腔内部から照明可能とし、口腔内全体を明るく照明できるようにした口腔内照明器具及び装置に関する。
【背景技術】
【０００２】
歯科治療においては、口腔内を照明するのに、一般的には、無影灯を用いて口腔外から口腔内を照明するようにしているが（例えば、特許文献１参照）、その他に、歯科治療用のインスツルメント（例えば、マイクロエンジン、エアータービン、スケーラ等）の先端部から光を照射して被治療箇所を照明するようにしている（例えば、特許文献２参照）。しかし、いずれも、術者の視線方向の一部しか照明することができず、従って、口腔内全体を十分に照明することができず（光の届かない場所が生じ）、治療作業がしにくい等の問題があった。
【特許文献１】特開２００３−１３５４９５号公報
【特許文献２】特開２００３−２１０４８８号公報
【発明の開示】
【発明が解決しようとする課題】
【０００３】
本発明は、上述のごとき実情に鑑みてなされたもので、口腔内を内部から照明するようにし、もって、口腔内全体を明るく照明するようにし（光の届かない場所がないようにし）、術者が目線を口腔内のどこに向けても、いつでも、明るい状態で口腔内を観察することができ、治療作業がしやすくなるようにした口腔内照明器具及び装置を提供することを目的としてなされたものである。
【０００４】
更には、口腔内に挿入した時に、患者が口を開けた状態を楽に維持することができ、口腔内治療を楽にできるようにした口腔内照明装置を提供することを目的としてなされたものである。
【課題を解決するための手段】
【０００５】
請求項１の発明は、軸方向に延長する光照射部と該光照射部の軸方向に一体的に連続するバイトブロック部を有し、かつ、該バイトブロック部は軸中心に軸方向に延長する凹部を有し、該凹部に光源が挿脱自在に挿入された時に、該光源からの光が前記光照射部に伝達されることを特徴としたものである。
【０００６】
請求項２の発明は、請求項１の発明において、前記バイトブロック部の凹部に連通する孔を軸方向に有し、前記光源からの光が該孔を通して前記光照射部に伝達されるようにしたことを特徴としたものである。
【０００７】
請求項３の発明は、口腔内奥部において舌の上を横切って延長し、舌の動きを抑える長さ及び幅を有することを特徴としたものである。
【０００８】
請求項４の発明は、請求項１乃至３のいずれかの発明において、上下の面に軸方向に延長する溝を有し、該上下の溝を患者の歯列に合せて、該バイトブロック部を噛むようにし、前記光照射部は口腔内奥部において舌の上を横切って延長し、舌の動きを抑える長さ及び幅を有することを特徴としたものである。
【０００９】
請求項５の発明は、請求項１乃至４のいずれかに記載の口腔内照明器具と、該口腔内照明道具の前記バイトブロック部の凹部に挿脱自在に装着される光源部とからなることを特徴としたものである。
【発明の効果】
【００１０】
本発明によると、口腔内を内部から照明するようにし、もって、口腔内全体を明るく照明するようにし（光の届かない場所がないようにし）、術者が目線を口腔内のどこに向けても、いつでも、明るい状態で口腔内を観察することができ、歯科治療作業がしやすくなる。
【００１１】
更には、本発明による口腔内照明器具を口腔内に挿入した時に、患者が楽に口を開け続けることができ、しかも、舌の動きを抑えることができるので口腔内の治療がしやすくなる。
【発明を実施するための最良の形態】
【００１２】
軸方向に延長する光照射部と該光照射部の軸方向に一体的に連続するバイトブロック部を有し、かつ、該バイトブロック部は中心部に軸方向に延長する凹部を有し、該凹部に光源を挿脱自在に挿入した時に、該光源からの光が前記光照射部に伝達され、該光照射部から放射され、更には、前記バイトブロック部は上下の面に軸方向に延長する溝を有し、該上下の溝を患者の歯列に合せて該バイトブロック部を噛むようにし、更には、前記光照射部は口腔内奥部において舌の上を横切って延長し、舌の動きを抑えるようにしたものである。
【実施例１】
【００１３】
図１は、本発明による口腔内照明器具の一実施例を説明するための要部構成図で、図１（Ａ）は軸方向断面図、図１（Ｂ）は光照射部（Ｂ−Ｂ線）断面図、図１（Ｃ）はバイトブロック部（Ｃ−Ｃ線）断面図を示し、本発明による口腔内照明器具１０は、軸方向に延長する光照射部１１と該光照射部１１の軸方向に一体的に連続するバイトブロック部１２とから成り、該バイトブロック部１２は軸中心に軸方向に延長する凹部１２ａを有し、該凹部１２ａに光源を挿脱自在に挿入できるようになっており、光照射部１１を口腔の奥部に入れ、バイトブロック部１２を噛むことによって固定するようになっている。バイトブロック部１２は、口を開けた状態をそのまま維持できる程度の高さ（又は径）に形成されており、歯科治療中、患者が口を開けているのを支える支持部材として機能し、これによって、患者は、歯科治療中、楽に口を開けていることができる。そのため、口腔内照明器具１０は、患者の口の大きさに応じて、大、中、小等何種類か準備しておき、患者の口の大きさに合ったものを適宜選択して使用するようになっている。
【００１４】
光照射部１１の形状は、図１（Ｂ1）に示すように断面が円形の柱状体、或いは、図１（Ｂ2）に示すように断面が中央部が肉厚の扁平体、或いは、図１（Ｂ3）に示すように、中央部１１1を円形又は肉厚部とする板状体、図１（Ｂ4）に示すように中央部１１1を円形又は肉厚部とするＸ形状板等、バイトブロック部１２から導入された光を放射することができるものなら何でもよい（なお、図１（Ｂ1）〜（Ｂ4）において点線にて示す１１ａは、後述するように、この部分に導光用の孔が設けられていてもよいことを示すものである）。しかし、好ましくは、バイトブロック部１２と一体成形でき、オートクレーブが可能で、しかも、バイトブロック部１２を噛みながら治療を受けるものであるため、噛み続けても疲労しにくいゴム系で弾力性がある、例えば、シリコーンゴム材などがよい（樹脂などの硬いものだと、顎が疲れる）。また、光を効果的に伝達、分散させるためには、半透明体の材料がよい。
【００１５】
バイトブロック部１２は、光源を挿脱自在に連結するための凹部１２ａを有するが、この凹部１２ａは、口腔内光照射器具１０の大、小にかかわらず、同じ大きさに形成されており、全ての光照射器具１０に対して、単一の光源を共通使用可能としている。
【００１６】
バイトブロック部１２は、口腔内に挿入した時に、口を開いた状態を維持するのに適した高さ（太さ）Ｈを有すればよく、図１（Ｃ1）には、バイトブロック部１２を円形にした例を示したが、上下面を平面に形成してもよく、更には、図１（Ｃ2）に示すように、上下に歯列に沿う溝１２Ｕ，１２Ｌを設け、この溝１２Ｕ，１２Ｌを上歯及び下歯に沿わせ、該溝の上下で噛むようにすると、バイトブロック部１２をより効果的に安定して噛むことができ、光照射器具１０をより確実に固定することができる。
【００１７】
光源部２０は、図１に破線にて示したように、先端部に光源（例えば、ＬＥＤ、ハロゲンランプ等、より太陽光に近い色温度を発生するものを用いる）２１を有し、光源部２０をバイトブロック部１２の凹部１２ａに挿し込み、図示しないコントローラにより、該光源２１を点灯すると、該光源２１からの光は、光照射器具１０を構成している例えばシリコーンゴムを通して光照射部１１に伝達され、該光照射部１１より照射されて口腔内を照明する。
【００１８】
図２は、本発明による口腔内照明器具の他の実施例を説明するための軸方向断面構成図で、この実施例は、光照射部１１にバイトブロック部１２の凹部１２ａに連通する軸方向の孔（導光路）１１ａを設けたもので（図１に示した実施例においても、点線（仮想線）１１ａにて示すように設けてもよい）、このようにすると、導光路１１ａを通して凹部１２ａに挿入された光源からの光をより効果的に光照射部１１の先端部まで導くことができ、該光照射部１１からより均一に光を照射することができる。なお、図２には、光照射部１１の形状を中心部を円形又は肉厚にした断面Ｘ型の光照射部１１（図１（Ｂ4）に相当）を示したが、上下面を平面に形成してもよく、更には、このようにすると、中心部の太い部分（円形又は肉厚の部分）１１1又は該太い部分に形成した導光路１１ａに光が通り、そこから枝分かれした上下、前後の各部分１１Ｕ1，１１Ｕ2，１１Ｌ1，１１Ｌ2に光が走り、口腔内をよりくまなく照明することができる。
【００１９】
更には、光照射部１１は、該光照射部１１を口腔の奥側において舌の上を横切って這わせる長さＬを有し、かつ、舌の動きを抑制する幅Ｗを有し、従来、臼歯の治療の際、舌が邪魔で該舌の動きに注意を払いながら治療していたが、本発明によると、上述のようにして、光照射部１１によって舌の動きを抑制することができ、より安全に治療することができる。
【００２０】
図３は、本発明による口腔内照明装置の一実施例を説明するための要部概略構成図で、図中、１０は本発明による口腔内照明器具１０の一例としての図２に示した口腔内照明器具の斜視図、２０は該口腔内照明器具１０のバイトブロック部１２の凹部１２ａ内に挿脱自在に挿入される光源２１を先端部に有する光源部２０の斜視図で、本発明による口腔内照明装置は、前述のごとき、口腔内照明器具１０と光源部２０とから成り、口腔内照明器具１０を、前述のようにして、患者の口腔内に入れ、光源部２０を凹部１２ａ内に挿入し、光源２１を点灯すれば、該光源２１からの光が光照射部１１に伝達され、該光照射部１１より照射されて口腔内が照明される。
【００２１】
図４は、本発明による口腔内照明装置を使用して患者の口腔内を照明している時の様子を示す図で、図４（Ａ）は、患者がバイトブロック部１２を噛んでいる時の様子を側面から見た図、図４（Ｂ）は、患者の口腔内奥方において、光照射部１１が患者の舌Ｔの上を横切って延長し、舌Ｔを上側から抑え、該舌Ｔの動きを抑えている様子を示す図である。このように、本発明による口腔内照明器具を使用することにより、舌Ｔの動きを抑制することができ、より安全に治療することができる。
【００２２】
図５は、本発明による口腔内照明装置の全体構成の一例を示す概略斜視図で、図中、１０は、口腔内照明器具（１１は光照射部、１２はバイトブロック部）、２０は光源部（先端に光源（図示せず）を有する）、３０は光源用のリード線、４０は光源の明るさを調整するコントローラで、該コントローラ４０は光量調整用のボリウム４１を有し、該ボリウム４１によって電源のオン・オフを制御し、かつ、光量を調整し、口腔内の明るさを調整する。なお、図には、光源部２０をバイトブロック部１２に対して挿脱自在とし、コントローラ４０によって光量を調整するようにした例を示したが、光源部に光源と電池を一体的に組み込んでおき、この光源と電池を一体的にした光源部をバイトブロック部に挿脱自在に組み込んでおき、患者がバイトブロック部１２を噛んだ時にスイッチがオンして光源が点灯するようにする等してもよい。
【００２３】
これまでの口腔内照明は、無影灯のような口腔外照明装置を用いるもの、歯科治療用インスツルメントの先端から光を照射するもの等しかなく、術者の視線方向の一部にしか光を当てることが出来なかったが、本発明によると、口腔内から照明できるため、口腔内全体を明るく出来、これにより、目線を口腔内のどこに向けても常時明るい状態で観察できる。また、光源部は光照射部と分離可能になっており、口腔内に挿入される光照射部を容易にオートクレーブ等することができる。
【００２４】
更には、光源の照度を光源用ボリウムにより調整が出来るようにすることにより、使用者の好みに合った照度が得られ、目の疲れが軽減される。光源はＬＥＤやハロゲンランプを使用することにより、より太陽光に近い色温度を提供することができる。更には、光照射部を口腔内の奥側で舌の上を横断するように這わせて延長させ、これによって、従来は臼歯の治療の際舌が邪魔で動きに注意を払いながら治療していたが、光照射部により舌の動きを抑制することができ、これまでより安全に治療できる。
バイトブロック部を患者が噛みつつ治療を受けるため、ゴム系で弾力性がありオートクレーブ可能な材料（シリコーンなど）を使用し、噛み続けても疲労しにくくなっている（樹脂など硬いものだと顎が疲れる）。
バイトブロック部は光源からの熱により若干暖かくなり、知覚過敏の患者への負担軽減を行うことができる。
【図面の簡単な説明】
【００２５】
【図１】本発明による口腔内照明器具の一実施例を説明するための要部構成図である。
【図２】本発明による口腔内照明器具の他の実施例を説明するための図で、光照射部１１に導光孔１１ａを設けた例を示す断面図である。
【図３】本発明による口腔内照明装置の要部斜視図である。
【図４】本発明による口腔内照明器具を患者の口腔内に入れた時の様子を示す図である。
【図５】本発明による口腔内照明装置の全体構成の一例を示す斜視図である。
【符号の説明】
【００２６】
１０…光照射器具、１１…光照射部、１１ａ…導光路、１２…バイトブロック部、１２ａ…凹部、２０…光源部、２１…光源、３０…リード線、４０…コントローラ。
【図１】
2006020818.tif 000003
【図２】
2006020818.tif 000004
【図３】
2006020818.tif 000005
【図４】
2006020818.tif 000006
【図５】
2006020818.tif 000007